(57)【要約】【課題】テレビジョン受像機において、自動プリセットされたチャンネル情報のうち、ゴースト局についてのチャンネル情報を自動的に削除することができるようにして、ユーザの操作性を向上させる。【解決手段】２つのチューナから受信した２つのチャンネルの映像信号のうちの一方のチャンネルの映像信号を反転させた上で、反転させられた一方のチャンネルの映像信号と他方のチャンネルの映像信号とを重畳させる（Ｓ２）。そして、重畳後の信号が、０レベルに近似した値であるときに（Ｓ３でＹＥＳ）、一方のチャンネルの映像と他方のチャンネルの映像とが同じであると判定して（Ｓ４）、２つのチューナに出力する各ＡＧＣ電圧に基いて、反転させられる前の一方のチャンネルの映像信号と他方のチャンネルの映像信号のうち、信号レベルの低い方の映像信号に対応したチャンネルについてのチャンネル情報をメモリから削除する（Ｓ５及びＳ６）。【選択図】図５
2006270411.tif 000002
【特許請求の範囲】
【請求項１】
テレビジョン放送信号を受信するための２つのチューナと、
前記２つのチューナで受信した、テレビジョン放送が許可されている周波数帯域における各チャンネル毎のテレビジョン放送信号中の同期信号を検出する同期信号検出手段と、
前記同期信号検出手段により同期信号が検出されたチャンネルについての、チャンネルと周波数との対応関係の情報であるチャンネル情報を記憶するチャンネル情報記憶手段と、
前記２つのチューナに対する選局指示操作を行うための選局指示手段と、
前記選局指示手段により前記２つのチューナのうちの１つのチューナに対して選局指示操作が行われたときに、選局指示されたチャンネルに関するチャンネル情報を前記チャンネル記憶手段から読み出して、読み出したチャンネル情報に基いて、該当のチューナを選局指示されたチャンネルに対応した周波数に同調させるように制御するマイクロコンピュータとを備えた、チャンネルの自動プリセット機能を有するＶＴＲ（Video Tape Recorder）内蔵のテレビジョン受像機において、
前記マイクロコンピュータは、前記２つのチューナから出力された信号を入力するための２つの入力端子と、前記２つのチューナに対して自動利得制御用の電圧（以下、ＡＧＣ（Automatic Gain Control）電圧という）を出力するための２つの出力端子とを有し、
前記マイクロコンピュータは、
前記テレビジョン受像機がユーザにより使用されていないスタンバイモード時に、前記チャンネル記憶手段に記憶されたチャンネル情報の中から、順次、異なる２つのチャンネルのチャンネル情報を読み出して、これらのチャンネル情報に基いて、異なる２つのチャンネルの映像信号を受信するように前記２つのチューナを制御するチューナ制御手段、
前記２つのチューナから前記２つの入力端子を介して受信した２つのチャンネルの映像信号のうちの一方のチャンネルの映像信号を反転させる信号反転手段、
前記信号反転手段により反転させられた一方のチャンネルの映像信号と、前記他方のチャンネルの映像信号とを重畳させる信号重畳手段、
前記信号重畳手段による重畳後の信号が、０レベルに近似した値であるときに、前記一方のチャンネルの映像と他方のチャンネルの映像とが同じであると判定し、前記信号重畳手段による重畳後の信号が、０レベルに近似した値ではないときに、前記一方のチャンネルの映像と他方のチャンネルの映像とが異なると判定する判定手段、及び
前記判定手段により前記一方のチャンネルの映像と他方のチャンネルの映像とが同じであると判定されたときに、前記２つのチューナに出力する各ＡＧＣ電圧に基いて、前記信号反転手段により反転させられる前の一方のチャンネルの映像信号と他方のチャンネルの映像信号のうち、どちらのチャンネルの映像信号のレベルが低いかを判定し、信号レベルの低い方の映像信号に対応したチャンネルについてのチャンネル情報を、チャンネル情報記憶手段から削除するように制御するチャンネル情報削除制御手段として機能することを特徴とするＶＴＲ内蔵のテレビジョン受像機。
【請求項２】
テレビジョン放送信号を受信するための２つのチューナと、
前記２つのチューナで受信した、テレビジョン放送が許可されている周波数帯域における各チャンネル毎のテレビジョン放送信号中の同期信号を検出する同期信号検出手段と、
前記同期信号検出手段により同期信号が検出されたチャンネルについての、チャンネルと周波数との対応関係の情報であるチャンネル情報を記憶するチャンネル情報記憶手段と、
前記２つのチューナに対する選局指示操作を行うための選局指示手段と、
前記選局指示手段により前記２つのチューナのうちの１つのチューナに対して選局指示操作が行われたときに、選局指示されたチャンネルに関するチャンネル情報を前記チャンネル記憶手段から読み出して、読み出したチャンネル情報に基いて、該当のチューナを選局指示されたチャンネルに対応した周波数に同調させるように制御するマイクロコンピュータとを備えた、チャンネルの自動プリセット機能を有するテレビジョン受像機において、
前記マイクロコンピュータは、
前記チャンネル記憶手段に記憶されたチャンネル情報の中から、順次、異なる２つのチャンネルのチャンネル情報を読み出して、これらのチャンネル情報に基いて、異なる２つのチャンネルの映像信号を受信するように前記２つのチューナを制御するチューナ制御手段、
前記２つのチューナから受信した２つのチャンネルの映像信号のうちの一方のチャンネルの映像信号を反転させる信号反転手段、
前記信号反転手段により反転させられた一方のチャンネルの映像信号と、前記他方のチャンネルの映像信号とを重畳させる信号重畳手段、
前記信号重畳手段による重畳後の信号が、０レベルに近似した値であるときに、前記一方のチャンネルの映像と他方のチャンネルの映像とが同じであると判定し、前記信号重畳手段による重畳後の信号が、０レベルに近似した値ではないときに、前記一方のチャンネルの映像と他方のチャンネルの映像とが異なると判定する判定手段、及び
前記判定手段により前記一方のチャンネルの映像と他方のチャンネルの映像とが同じであると判定されたときに、前記信号反転手段により反転させられる前の一方のチャンネルの映像信号と他方のチャンネルの映像信号のうち、信号レベルの低い方の映像信号に対応したチャンネルについてのチャンネル情報を、チャンネル情報記憶手段から削除するように制御するチャンネル情報削除制御手段として機能することを特徴とするテレビジョン受像機。
【請求項３】
前記チャンネル情報削除制御手段は、前記２つのチューナに出力する各ＡＧＣ電圧に基いて、前記信号反転手段により反転させられる前の一方のチャンネルの映像信号と他方のチャンネルの映像信号のうち、どちらのチャンネルの映像信号のレベルが低いかを判定することを特徴とする請求項２に記載のテレビジョン受像機。
【発明の詳細な説明】
【技術分野】
【０００１】
本発明は、自動プリセット機能を有するテレビジョン受像機に関する。
【背景技術】
【０００２】
従来から、テレビジョン受像機により受信可能なチャンネルやその周波数は、予め定められている。しかし、受信可能なチャンネルやその周波数は、地域によって異なっている。そのため、一般に、受信可能なチャンネルやその周波数を設定し直し、あるいは受信できないチャンネルであることを決定するためのプリセットが行われる。このチャンネルのプリセットを自動的に行う機能（自動プリセット機能）を持つテレビジョン受像機がある（例えば、特許文献１参照）。この種のテレビジョン受像機は、テレビジョン放送が許可されている周波数帯域における各チャンネル毎のテレビジョン放送信号中の同期信号を検出して、同期信号が検出されたチャンネルについての、チャンネルと周波数との対応関係の情報であるチャンネル情報をメモリに記憶しておき、ユーザにより選局指示されたときに、メモリ内のチャンネル情報に基いて、チューナを選局指示されたチャンネルに対応した周波数に同調させることにより、選局指示されたチャンネルの映像を画面上に表示させる。
【０００３】
しかしながら、上記のような従来の自動プリセット機能を有するテレビジョン受像機では、スプリアスによるゴースト局（希望局（真正な局）の高調波ノイズによる仮想局）についてのチャンネル情報もメモリ内に自動的にプリセットされてしまう（記憶されてしまう）場合がある。このゴースト局からの放送電波の電界強度は低いため、ゴースト局から受信した信号に基づく映像・音声は、品位が落ち、視聴の対象とはなり得ない。このプリセットされたゴースト局についてのチャンネル情報を、手動でメモリから削除するためには、チャンネルを頻繁に切り換えて、ゴースト局から受信した信号に基づく映像・音声と希望局（真正な局）から受信した信号に基づく映像・音声とを比較する必要があり、極めて手間がかかる。
【０００４】
ところで、テレビジョン受像機の分野において、チャンネルに対応した同期信号の有無を判定するための専用チューナを設けることで、ユーザのチャンネル切換指示時に、目的のチャンネルに素早く切り換えることができるようにしたものが知られている（特許文献２参照）。また、通信線診断装置の分野において、位相が互いに逆転した信号を送信している２本一対の信号線に流れる信号について、一方の信号から所定の最大電圧の減算を行って、減算後の信号ともう一方の信号を加算した結果の信号が、ほぼ０ボルトにに近い所定範囲内か否かを判断し、この結果、所定範囲内でなければ、異常を出力し、所定範囲内であれば、正常と判断するものがある（特許文献３参照）。けれども、上記特許文献２及び３に示される発明では、上記の問題を解決することができない。
【特許文献１】特開平７−１７６９９３号公報
【特許文献２】特開２００４−７３１８号公報
【特許文献３】特開２００３−１８８９２８号公報
【発明の開示】
【発明が解決しようとする課題】
【０００５】
本発明は、上記の問題を解決するためになされたものであり、自動プリセットされたチャンネル情報のうち、ゴースト局についてのチャンネル情報を自動的に削除することができるようにして、ユーザの操作性を向上させることが可能なＶＴＲ内蔵のテレビジョン受像機、及びテレビジョン受像機を提供することを目的とする。
【課題を解決するための手段】
【０００６】
上記目的を達成するために請求項１の発明は、テレビジョン放送信号を受信するための２つのチューナと、前記２つのチューナで受信した、テレビジョン放送が許可されている周波数帯域における各チャンネル毎のテレビジョン放送信号中の同期信号を検出する同期信号検出手段と、前記同期信号検出手段により同期信号が検出されたチャンネルについての、チャンネルと周波数との対応関係の情報であるチャンネル情報を記憶するチャンネル情報記憶手段と、前記２つのチューナに対する選局指示操作を行うための選局指示手段と、前記選局指示手段により前記２つのチューナのうちの１つのチューナに対して選局指示操作が行われたときに、選局指示されたチャンネルに関するチャンネル情報を前記チャンネル記憶手段から読み出して、読み出したチャンネル情報に基いて、該当のチューナを選局指示されたチャンネルに対応した周波数に同調させるように制御するマイクロコンピュータとを備えた、チャンネルの自動プリセット機能を有するＶＴＲ（Video Tape Recorder）内蔵のテレビジョン受像機において、前記マイクロコンピュータは、前記２つのチューナから出力された信号を入力するための２つの入力端子と、前記２つのチューナに対して自動利得制御用の電圧（以下、ＡＧＣ（Automatic Gain Control）電圧という）を出力するための２つの出力端子とを有し、前記マイクロコンピュータは、前記テレビジョン受像機がユーザにより使用されていないスタンバイモード時に、前記チャンネル記憶手段に記憶されたチャンネル情報の中から、順次、異なる２つのチャンネルのチャンネル情報を読み出して、これらのチャンネル情報に基いて、異なる２つのチャンネルの映像信号を受信するように前記２つのチューナを制御するチューナ制御手段、前記２つのチューナから前記２つの入力端子を介して受信した２つのチャンネルの映像信号のうちの一方のチャンネルの映像信号を反転させる信号反転手段、前記信号反転手段により反転させられた一方のチャンネルの映像信号と、前記他方のチャンネルの映像信号とを重畳させる信号重畳手段、前記信号重畳手段による重畳後の信号が、０レベルに近似した値であるときに、前記一方のチャンネルの映像と他方のチャンネルの映像とが同じであると判定し、前記信号重畳手段による重畳後の信号が、０レベルに近似した値ではないときに、前記一方のチャンネルの映像と他方のチャンネルの映像とが異なると判定する判定手段、及び前記判定手段により前記一方のチャンネルの映像と他方のチャンネルの映像とが同じであると判定されたときに、前記２つのチューナに出力する各ＡＧＣ電圧に基いて、前記信号反転手段により反転させられる前の一方のチャンネルの映像信号と他方のチャンネルの映像信号のうち、どちらのチャンネルの映像信号のレベルが低いかを判定し、信号レベルの低い方の映像信号に対応したチャンネルについてのチャンネル情報を、チャンネル情報記憶手段から削除するように制御するチャンネル情報削除制御手段として機能するものである。
【０００７】
請求項２の発明は、テレビジョン放送信号を受信するための２つのチューナと、前記２つのチューナで受信した、テレビジョン放送が許可されている周波数帯域における各チャンネル毎のテレビジョン放送信号中の同期信号を検出する同期信号検出手段と、前記同期信号検出手段により同期信号が検出されたチャンネルについての、チャンネルと周波数との対応関係の情報であるチャンネル情報を記憶するチャンネル情報記憶手段と、前記２つのチューナに対する選局指示操作を行うための選局指示手段と、前記選局指示手段により前記２つのチューナのうちの１つのチューナに対して選局指示操作が行われたときに、選局指示されたチャンネルに関するチャンネル情報を前記チャンネル記憶手段から読み出して、読み出したチャンネル情報に基いて、該当のチューナを選局指示されたチャンネルに対応した周波数に同調させるように制御するマイクロコンピュータとを備えた、チャンネルの自動プリセット機能を有するテレビジョン受像機において、前記マイクロコンピュータは、前記チャンネル記憶手段に記憶されたチャンネル情報の中から、順次、異なる２つのチャンネルのチャンネル情報を読み出して、これらのチャンネル情報に基いて、異なる２つのチャンネルの映像信号を受信するように前記２つのチューナを制御するチューナ制御手段、前記２つのチューナから受信した２つのチャンネルの映像信号のうちの一方のチャンネルの映像信号を反転させる信号反転手段、前記信号反転手段により反転させられた一方のチャンネルの映像信号と、前記他方のチャンネルの映像信号とを重畳させる信号重畳手段、前記信号重畳手段による重畳後の信号が、０レベルに近似した値であるときに、前記一方のチャンネルの映像と他方のチャンネルの映像とが同じであると判定し、前記信号重畳手段による重畳後の信号が、０レベルに近似した値ではないときに、前記一方のチャンネルの映像と他方のチャンネルの映像とが異なると判定する判定手段、及び前記判定手段により前記一方のチャンネルの映像と他方のチャンネルの映像とが同じであると判定されたときに、前記信号反転手段により反転させられる前の一方のチャンネルの映像信号と他方のチャンネルの映像信号のうち、信号レベルの低い方の映像信号に対応したチャンネルについてのチャンネル情報を、チャンネル情報記憶手段から削除するように制御するチャンネル情報削除制御手段として機能するものである。
【０００８】
請求項３の発明は、請求項２に記載のテレビジョン受像機において、前記チャンネル情報削除制御手段は、前記２つのチューナに出力する各ＡＧＣ電圧に基いて、前記信号反転手段により反転させられる前の一方のチャンネルの映像信号と他方のチャンネルの映像信号のうち、どちらのチャンネルの映像信号のレベルが低いかを判定するものである。
【発明の効果】
【０００９】
請求項１の発明によれば、マイクロコンピュータが、スタンバイモード時に、チャンネル情報記憶手段に記憶されたチャンネル情報の中から、順次、異なる２つのチャンネルのチャンネル情報を読み出して、これらのチャンネル情報に基き、異なる２つのチャンネルの映像信号を２つのチューナを用いて順番に受信する。そして、２つのチューナから受信した２つのチャンネルの映像信号のうちの一方のチャンネルの映像信号を反転させた上で、反転させられた一方のチャンネルの映像信号と他方のチャンネルの映像信号とを重畳させる。マイクロコンピュータは、重畳後の信号が、０レベルに近似した値であるときに、一方のチャンネルの映像と他方のチャンネルの映像とが同じであると判定して、２つのチューナに出力する各ＡＧＣ電圧に基いて、反転させられる前の一方のチャンネルの映像信号と他方のチャンネルの映像信号のうち、信号レベルの低い方の映像信号に対応したチャンネルについてのチャンネル情報を、チャンネル情報記憶手段から削除する。マイクロコンピュータが、チャンネル情報記憶手段にチャンネル情報が記憶された全てのチャンネルを対象に、あらゆる２つのチャンネルの組み合わせについて、上記の処理を繰り返すことによって、チャンネル情報記憶手段に自動プリセットされたチャンネル情報のうち、ゴースト局についてのチャンネル情報を自動的に削除することができる。これにより、ユーザの操作性を向上させることができる。
【００１０】
請求項２の発明によれば、マイクロコンピュータが、チャンネル情報記憶手段に記憶されたチャンネル情報の中から、順次、異なる２つのチャンネルのチャンネル情報を読み出して、これらのチャンネル情報に基き、異なる２つのチャンネルの映像信号を２つのチューナを用いて順番に受信する。そして、２つのチューナから受信した２つのチャンネルの映像信号のうちの一方のチャンネルの映像信号を反転させた上で、反転させられた一方のチャンネルの映像信号と他方のチャンネルの映像信号とを重畳させる。マイクロコンピュータは、重畳後の信号が、０レベルに近似した値であるときに、一方のチャンネルの映像と他方のチャンネルの映像とが同じであると判定して、反転させられる前の一方のチャンネルの映像信号と他方のチャンネルの映像信号のうち、信号レベルの低い方の映像信号に対応したチャンネルについてのチャンネル情報を、チャンネル情報記憶手段から削除する。マイクロコンピュータが、チャンネル情報記憶手段にチャンネル情報が記憶された全てのチャンネルを対象に、あらゆる２つのチャンネルの組み合わせについて、上記の処理を繰り返すことによって、チャンネル情報記憶手段に自動プリセットされたチャンネル情報のうち、ゴースト局についてのチャンネル情報を自動的に削除することができる。これにより、ユーザの操作性を向上させることができる。
【００１１】
請求項３の発明によれば、２つのチューナに出力する各ＡＧＣ電圧に基いて、２つのチャンネルの映像信号のうち、どちらのチャンネルの映像信号のレベルが低いかを判定するようにしたことにより、２つのチャンネルのうちのいずれのチャンネルが、ゴースト局のチャンネルであるかを正確に判定することができる。
【発明を実施するための最良の形態】
【００１２】
本発明を実施するための最良の形態について図面を参照して説明する。本発明は、自動プリセット機能を有するテレビジョン受像機に関するものであり、自動プリセットされたチャンネル情報のうち、ゴースト局についてのチャンネル情報を自動的に削除することができるようにしたものである。以下の実施形態では、ＶＴＲ（Video Tape Recorder）内蔵のテレビジョン受像機に本発明を適用した場合の例について説明する。なお、以下に記載した実施形態は、本発明を網羅するものではなく、本発明は、下記の形態だけに限定されない。
【００１３】
図１は、本実施形態によるＶＴＲ内蔵のテレビジョン受像機（以下、テレビデオという）の電気的ブロック構成を示す。このテレビデオ１は、装置本体２とリモコン２０（選局指示手段）より構成されている。装置本体２は、第１チューナ４と、第２チューナ５と、スイッチングボックス６と、映像信号処理回路７と、ＣＲＴ（Cathode Ray Tube）８と、音声信号処理回路９と、左右のスピーカ１０、１１と、ＶＴＲ部１２と、マイクロコンピュータ１３（以下、マイコンと略す）と、同期分散回路１４と、リモコン信号受信部１６とを備えている。
【００１４】
第１チューナ４と第２チューナ５とは、ユーザがリモコン２０を用いて、自チューナに選局指示操作を行ったときに、アンテナ３を介して受信した映像・音声信号の中から、選局指示されたチャンネルの映像・音声信号を抽出して出力する。第１チューナ４は、受信した映像信号を、通常は、スイッチングボックス６を介して映像信号処理回路７と同期分散回路１４へ出力し、また、受信した音声信号を音声信号処理回路９へ出力する。第２チューナ５は、主にＶＴＲ部１２による録画処理用に用いられ、受信した映像信号を、通常は、スイッチングボックス６を介してＶＴＲ部１２と同期分散回路１４とに出力する。第１チューナ４及び第２チューナ５は、スタンバイモード時においてゴースト局のチャンネル情報の自動削除処理を行う際には、スイッチングボックス６を介して、マイコン１３へ映像信号を出力する。
【００１５】
スイッチングボックス６は、インプットセレクタの機能を持ち、主に第１チューナ４、第２チューナ５、及びＶＴＲ部１２から出力された映像・音声信号の出力先の切り替えを行う。
【００１６】
映像信号処理回路７は、入力された映像信号を増幅した上で、この映像信号に対して、周波数特性、明るさ、コントラスト等の調整、色復調、色増幅等の処理を行う。ＣＲＴ８は、映像信号処理回路７から出力された映像信号（色信号）を映像として画面表示する。
【００１７】
音声信号処理回路９は、入力された音声信号の音量と音質を調整すると共に、音声信号の増幅を行って、左右のスピーカ１０、１１に出力する。左右のスピーカ１０、１１は、音声信号処理回路９から入力された音声信号を音声として出力する。
【００１８】
ＶＴＲ部１２は、不図示のビデオ・テープへの映像・音声信号の記録や、ビデオ・テープに記録された映像・音声信号の再生等を行う。
【００１９】
同期分散回路１４は、第１チューナ４及び第２チューナ５から入力された映像信号より同期信号を分離して、分離した同期信号をマイコン１３へ出力する。
【００２０】
マイコン１３は、製品出荷後におけるチャンネルの自動プリセット処理の実行時に、同期分散回路１４からの同期信号の有無に基いて、同期信号が検出されたチャンネルについての、チャンネルと周波数との対応関係の情報であるチャンネル情報をメモリ１５に記憶する。また、マイコン１３は、ユーザがリモコン２０を用いて、第１チューナ４又は第２チューナ５に選局指示操作を行ったときに、選局指示されたチャンネルに関するチャンネル情報をメモリ１５から読み出して、読み出したチャンネル情報に基いて、第１チューナ４又は第２チューナ５を選局指示されたチャンネルに対応した周波数に同調させることにより、ユーザにより選局指示されたチャンネルの映像・音声信号を映像信号処理回路７及び音声信号処理回路９に出力する。さらにまた、マイコン１３は、スタンバイモード時においてゴースト局のチャンネル情報の自動削除処理を行う。マイコン１３及び同期分散回路１４が、請求項における同期信号検出手段に相当する。また、マイコン１３内のメモリ１５が、請求項におけるチャンネル情報記憶手段に相当する。また、マイコン１３、及びメモリ１５に内蔵されたプログラムが、請求項におけるチューナ制御手段、信号反転手段、信号重畳手段、判定手段、及びチャンネル情報削除制御手段に相当する。
【００２１】
リモコン信号受信部１６は、リモコン２０から赤外線信号で受信した内容に応じた指示信号をマイコン１３に出力する。
【００２２】
リモコン２０は、各種のキーからなるキー部２４と赤外線信号発信部２１とを有している。キー部２４には、電源キー２３、数字入力用のキー２５、カーソル移動キー２６、確定キー２７、及びボリュームキー２８に加えて、各種メニューを表示するためのメニューキー２２が配設されている。
【００２３】
図２は、図１中の各回路のうち、ゴースト局のチャンネル情報の自動削除処理に係る回路を示す。マイコン１３は、第１チューナ４から出力された映像信号を入力するためのビデオ信号入力端子３１と、第２チューナ５から出力された映像信号を入力するためのビデオ信号入力端子３２と、第１チューナ４に対して自動利得制御用の電圧（以下、ＡＧＣ（Automatic Gain Control）電圧という）を出力するためのＡＧＣ出力端子３３と、第２チューナ５に対してＡＧＣ電圧を出力するためのＡＧＣ出力端子３４とを有している。また、マイコン１３は、第２チューナ５から出力された映像信号を反転させるためのＮＯＴ回路３５を内蔵している。
【００２４】
次に、図３乃至図５を参照して、ゴースト局のチャンネル情報の自動削除処理について説明する。この処理は、マイコン１３、及びマイコン１３のメモリ１５に内蔵されたプログラムにより行われる。チャンネルの自動プリセット後に、テレビデオ１が、スタンバイモードに入ると、マイコン１３は、メモリ１５に記憶されたチャンネル情報の中から、順次、異なる２つのチャンネルのチャンネル情報を読み出して、これらのチャンネル情報に基いて、異なる２つのチャンネルの映像信号を同時に受信するように第１チューナ４と第２チューナ５とを制御する（図５のＳ１）。そして、マイコン１３は、第２チューナ５から入力された、一方のチャンネルの映像信号のみをＮＯＴ回路３５により反転させた上で、反転させられた一方のチャンネルの映像信号と、第１チューナ４から入力された他方のチャンネルの映像信号とを重畳させる（Ｓ２）。
【００２５】
図３中の４２及び図４中の４６は、上記の反転させられた一方のチャンネルの映像信号の波形を示し、図３及び図４中の４１は、上記の他方のチャンネルの映像信号の波形を示す。また、図３中の４３及び図４中の４７は、上記の２つの映像信号を重畳した信号（以下、重畳信号という）の波形を示す。
【００２６】
マイコン１３は、図３に示されるように、重畳信号４３のレベルが、上限４４と下限４５の範囲内（閾値の範囲内）に収まるとき（Ｓ３でＹＥＳ）、すなわち、０レベルに近似した値であるときには、上記一方のチャンネルの映像と、他方のチャンネルの映像とが同じであると判定して（Ｓ４）、ＡＧＣ出力端子３３から第１チューナ４に出力するＡＧＣ電圧のレベルと、ＡＧＣ出力端子３４から第２チューナ５に出力するＡＧＣ電圧のレベルとに基いて、第２チューナ５から入力された映像信号と第１チューナ４から入力された映像信号のうち、どちらのチャンネルの映像信号のレベルが低いかを判定する（Ｓ５）。そして、マイコン１３は、信号レベルの低い方の映像信号をゴースト局から受信した映像信号とみなして、この映像信号に対応したチャンネルについてのチャンネル情報を、メモリ１５に記憶されたチャンネル情報の中から削除する（Ｓ６）。
【００２７】
なお、一方の映像信号が真正な放送局（真正局又は希望局）から受信した映像信号であり、もう一方の映像信号が上記の真正局に対応したゴースト局である場合に、これらの映像信号のうちの一方の映像信号のみを反転させて、もう一方の映像信号と重畳させることにより、０レベルに近い重畳信号を得ることができる理由は、これらの２つの映像信号が、第１チューナ４及び第２チューナ５により自動利得制御処理と周波数変換処理が施された後の映像信号であるため、信号レベルの強弱や周波数において、略同じ信号になっているからである。
【００２８】
これに対して、図４に示されるように、重畳信号４７のレベルが、上限４４と下限４５の範囲内（閾値の範囲内）に収まらないとき（Ｓ３でＮＯ）、すなわち、０レベルに近似した値でないときには、マイコン１３は、上記一方のチャンネルの映像と、他方のチャンネルの映像とが異なると判定して（Ｓ７）、上記のチャンネル情報の削除処理を行わない。
【００２９】
自動プリセット処理によりメモリ１５に記憶されたチャンネル情報に対応した全てのチャンネルの組み合わせについて、これらのチャンネルの映像信号を第１チューナ４及び第２チューナ５により受信して、上記Ｓ１乃至Ｓ７の処理を繰り返すことにより、メモリ１５に自動プリセットされたチャンネル情報のうち、ゴースト局についてのチャンネル情報を全て自動的に削除することができる。これにより、ユーザの操作性を向上させることができる。
【００３０】
上記のように、本実施形態によるテレビデオ１によれば、マイコン１３が、スタンバイモード時に、メモリ１５に記憶されたチャンネル情報の中から、順次、異なる２つのチャンネルのチャンネル情報を読み出して、これらのチャンネル情報に基き、異なる２つのチャンネルの映像信号を２つのチューナ４、５を用いて順番に受信する。そして、２つのチューナ４、５から受信した２つのチャンネルの映像信号のうちの一方のチャンネルの映像信号を反転させた上で、反転させられた一方のチャンネルの映像信号と他方のチャンネルの映像信号とを重畳させる。マイコン１３は、重畳後の信号が、０レベルに近似した値であるときに、一方のチャンネルの映像と他方のチャンネルの映像とが同じであると判定して、２つのチューナ４、５に出力する各ＡＧＣ電圧に基いて、反転させられる前の一方のチャンネルの映像信号と他方のチャンネルの映像信号のうち、信号レベルの低い方の映像信号に対応したチャンネルについてのチャンネル情報を、メモリ１５から削除する。マイコン１３が、メモリ１５にチャンネル情報が記憶された全てのチャンネルを対象に、あらゆる２つのチャンネルの組み合わせについて、上記の処理を繰り返すことによって、メモリ１５に自動プリセットされたチャンネル情報のうち、ゴースト局についてのチャンネル情報を自動的に削除することができる。これにより、ユーザの操作性を向上させることができる。
【００３１】
なお、本発明は、上記実施形態に限られるものではなく、様々な変形が可能である。例えば、上記の実施形態では、本発明の適用対象となるテレビジョン受像機が、ＶＴＲ内蔵のテレビジョン受像機である場合の例を示したが、本発明の適用対象となるテレビジョン受像機は、これに限られず、２つのチューナを有するテレビジョン受像機であればよく、例えば、ＤＶＤ（Digital Versatile Disc）内蔵のテレビジョン受像機であってもよい。また、上記実施形態では、マイコン１３が、スタンバイモード時に、ゴースト局についてのチャンネル情報を全て自動的に削除する場合の例について示したが、チャンネル情報の自動削除を行うタイミングは、これに限られず、例えば、ユーザが一方のチューナを用いて、あるチャンネルの番組を視聴しているときに、もう一方のチューナを用いて他のチャンネルの放送信号を順番に受信して、２つのチューナで受信した放送信号が同じ場合に、ゴースト局についてのチャンネル情報を自動削除してもよい。このような方法によっても、メモリ内に記憶されたチャンネル情報の数を減らして、メモリ容量の節約を図ることができる。
【図面の簡単な説明】
【００３２】
【図１】本発明の一実施形態によるＶＴＲ内蔵のテレビジョン受像機の電気的ブロック構成図。
【図２】図１中の各回路のうち、ゴースト局のチャンネル情報の自動削除処理に係る回路を示す図。
【図３】真正な放送局から受信した映像信号とゴースト局から受信した映像信号とを重畳した信号を示す図。
【図４】異なる２つの放送局から受信した映像信号を重畳した信号を示す図。
【図５】ゴースト局のチャンネル情報の自動削除処理のフローチャート。
【符号の説明】
【００３３】
１    テレビデオ（ＶＴＲ内蔵のテレビジョン受像機）
４    第１チューナ
５    第２チューナ
１３  マイコン（同期信号検出手段、チューナ制御手段、信号反転手段、信号重畳手段、判定手段、及びチャンネル情報削除制御手段）
１４  同期分散回路（同期信号検出手段）
１５  メモリ（チャンネル情報記憶手段）
２０  リモコン（選局指示手段）
【図１】
2006270411.tif 000003
【図２】
2006270411.tif 000004
【図３】
2006270411.tif 000005
【図４】
2006270411.tif 000006
【図５】
2006270411.tif 000007